(57)【要約】【課題】上台と棹石を連結棒で隙間なく確実に連結して耐震性を高めるた耐震墓構造の組立て方法を提供するものである。【解決手段】上台１の上部中心に縦溝２を形成し、この上に重ねられる棹石５の底部中心に前記縦溝２と対向して縦溝６を形成し、上台１の縦溝２に接着剤９を充填して、ここに前記両縦溝２、６の合計の深さよりやや短い金属製の連結棒３を挿着して固定し、この上台１から突出した連結棒３の上部側を囲むように、上部側面に接着剤の流出口１２を形成し、長さが前記連結棒３とほぼ等しい円筒体１１を上下動自在に被せ、次いでこの円筒体１１の上部から接着剤９を充填した後、前記棹石５の縦溝６の内側に円筒体１１の上部を挿入してから、棹石５を下降させて上台１の上に重ね、この過程で円筒体１１内の接着剤９が流出口１２から流出して棹石５の縦溝６と円筒体１１との間の隙間に充填させるようにしたものである。                      【選択図】図５
2008045291.tif 000002
【特許請求の範囲】
【請求項１】
上台の上に棹石を重ねた耐震墓構造の組立て方法において、上台の上部中心に縦溝を形成し、この上に重ねられる棹石の底部中心に前記縦溝と対向して連通する縦溝を形成し、上台の縦溝に接着剤を充填して、ここに前記両縦溝の合計の深さよりやや短い金属製の連結棒を挿着して固定し、この連結棒の上部側を囲むように、上部側面に接着剤の流出口が形成され、長さが前記連結棒とほぼ等しい筒体を上下動自在に被せ、次いでこの筒体の上部から接着剤を充填した後、前記棹石に形成した縦溝の内側に筒体の上部を挿入してから、棹石を下降させて上台の上に重ね、この過程で筒体内の接着剤が流出口から流出して棹石の縦溝と円筒体との間の隙間に充填させるようにしたことを特徴とする耐震墓構造の組立て方法。
【請求項２】
連結棒の上部側と下部側にくびれ部が形成されていることを特徴とする請求項１記載の耐震墓構造の組立て方法。
【請求項３】
連結棒の底部に高さ調整用のアジャスターが取付けられていることを特徴とする請求項１または２記載の耐震墓構造の組立て方法。
【発明の詳細な説明】
【技術分野】
【０００１】
本発明は、耐震墓構造の組立て方法に関するものである。
【背景技術】
【０００２】
一般に墓石の構造は、芝台（下台）の上に、中台を重ね、この上に上台を重ね、一番上に棹石を重ねた構造となっている。この構造では、夫々別個に加工したものを単に積み重ねたものであるため、大きな地震が発生すると、重心の高い棹石が動いたり転倒することがあった。
【０００３】
このため、上台の上部中心に縦溝を形成し、この上に重ねられる棹石の底部中心に前記縦溝と対向してこれと連通する縦溝を形成し、上台の縦溝に連結棒の下部側を挿着して接着剤で固定し、連結棒の上部側に接着剤を塗布して、前記棹石の底部中心に形成した縦溝の内側に連結棒の上部側から挿入し、棹石を下降させて上台の上に重ねて、上台と棹石を連結棒で連結して、自身の揺れに対して棹石の倒壊を防止していた（例えば特許文献１）。
【０００４】
この耐震構造では、上台の縦溝が上方に向かって開口しているので、接着剤を充填して連結棒の下部側を確実に固定することができるが、棹石の底部に形成した縦溝は下方に向かって開口しているので、接着剤を充填しても自重により流れ出してしまい、連結棒の上部側に塗布しても隙間を埋めることができず確実に固定することができなかった。
【特許文献１】実用新案登録第３０３１７４９号公報
【発明の開示】
【発明が解決しようとする課題】
【０００５】
本発明は上記問題点を改善し、上台と棹石を連結棒で隙間なく確実に連結して耐震性を高めた耐震墓構造の組立て方法を提供するものである。
【課題を解決するための手段】
【０００６】
本発明の請求項１記載の耐震墓構造の組立て方法は、上台の上に棹石を重ねた耐震墓構造の組立て方法において、上台の上部中心に縦溝を形成し、この上に重ねられる棹石の底部中心に前記縦溝と対向して連通する縦溝を形成し、上台の縦溝に接着剤を充填して、ここに前記両縦溝の合計の深さよりやや短い金属製の連結棒を挿着して固定し、この連結棒の上部側を囲むように、上部側面に接着剤の流出口が形成され、長さが前記連結棒とほぼ等しい筒体を上下動自在に被せ、次いでこの筒体の上部から接着剤を充填した後、前記棹石に形成した縦溝の内側に筒体の上部を挿入してから、棹石を下降させて上台の上に重ね、この過程で筒体内の接着剤が流出口から流出して棹石の縦溝と円筒体との間の隙間に充填させるようにしたことを特徴とするものである。
【０００７】
本発明の請求項２記載の耐震墓構造の組立て方法は、請求項１において、連結棒の上部側と下部側にくびれ部が形成されていることを特徴とするものである。
【０００８】
本発明の請求項３記載の耐震墓構造の組立て方法は、請求項１または２において連結棒の底部に、高さ調整用のアジャスターが取付けられていることを特徴とするものである。
【発明の効果】
【０００９】
本発明に係る請求項１記載の耐震墓構造の組立て方法によれば、上台の縦溝に連結棒の下部側が挿着されて、この周囲が接着剤で固定され、また棹石の縦溝に連結棒の上部側が挿着されて、この周囲が筒体に保持されている接着剤が上方から下方に向かって流れて隙間が固定されているので耐震性が向上し、横揺れや縦揺れの地震が発生しても、棹石の移動や倒壊を確実に防止することができる。
【００１０】
また請求項２記載の耐震墓構造の組立て方法によれば、連結棒の上部と下部側にくびれ部が形成されているので、接着剤がくびれ部に回り込んでしっかり固定され、横揺れや縦揺れの地震に対して更に耐震性を向上させることができる。
【００１１】
また請求項３記載の耐震墓構造の組立て方法によれば、金属製の連結棒の底部に、高さ調整用のアジャスターが取付けられているので、上台の縦溝や棹石の縦溝の深さが多少変化しても、連結棒の位置を最適な位置に調整することができる。
【発明を実施するための最良の形態】
【００１２】
以下本発明の実施の一形態を図１ないし図５を参照して詳細に説明する。図１において１は上台、２はこの上台１の上部中心に形成した中空円筒状の縦溝、３はこの内側に挿着される連結棒である。この連結棒３は真鍮やステンレスなどの金属で形成され、その上部と下部にくびれ部４、４が形成されている。
【００１３】
連結棒３の長さは、上台１の縦溝２の深さと、図５に示す棹石５の底部中心に形成した縦溝６の深さの合計の深さよりやや短い長さに形成されている。この連結棒３の下部に中心にはねじ孔７が形成され、ここにボルト状の高さ調整用のアジャスター８が螺合して、縦溝２の深さに応じて連結棒３の位置を調整するようになっている。
【００１４】
次に高さ調整用のアジャスター８で連結棒３の取付け位置を調整した後、これを縦溝２から取り出した後、図２に示すように粘性のあるペースト状の接着剤９を縦溝２内に充填してから、高さ調整した連結棒３を挿入して、連結棒３の下部側を固定する。この場合、連結棒３の下部側にはくびれ部４が形成され、更にボルト状のアジャスター８が取付けられているので、この凹凸部に接着剤９が回り込んで、硬化してくると確実に固定される。
【００１５】
次に図３に示すように、上台１から突出した連結棒３の上部側を囲むように円筒体１１を被せて落下しない程度に、僅かに接着剤などを点付けして仮り止めする。この円筒体１１の内径は、連結棒３の外径よりやや大きく、その長さも連結棒３よりやや長い程度に形成されている。また円筒体１１の上部側面には、接着剤９の流出口１２が複数個開口されている。次に、円筒体１１の上部開口部１３から粘性のあるペースト状の接着剤９を所定量充填する。                      
【００１６】
またこれとは別に、図４に示すように、予め棹石５の底部中心の前記上台１の縦溝２と対向する位置に縦溝６を開口しておく。次に上台１の上面に、連結棒３を囲むようにリング状のゴムシート１４を取付ける。この後、棹石５を図示しないクレーンで吊り上げた状態から次第に下降させて、縦溝６内に円筒体１１の上部を挿入していく。
【００１７】
更に棹石５を下げていくと、円筒体１１の上部開口部１３が縦溝６の天井面に押されて、仮り止めが外れて、棹石５と共に円筒体１１が下降してくる。円筒体１１の下降に伴って、縦溝に充填されていた接着剤９が流出口１２から流れ出し、縦溝６と円筒体１１との間が上方から順次充填されていき、内部の空気は縦溝６の下部から順次排出されていく。また同時に、連結棒３と円筒体１１との間の隙間にも接着剤９が流れ込んでいく。  この時、円筒体１１の下部側は、上台１の縦溝２内に挿入されて、硬化していない接着剤９に食い込んでいく。
【００１８】
更に棹石５を下げていくと、図５に示すように上台１の上に、リング状の硬質ゴムシート１４を介して重ねた状態となる。この結果、連結棒３の上部に形成しゴくびれ部４にも接着剤９が回り込み、また縦溝６と円筒体１１と間、および円筒体１１と連結棒３との間も隙間なく接着剤９が充填された状態となる。時間の経過と共に接着剤９がパテ状に硬化すると、上台１の縦溝２と棹石５の縦溝６は、接着剤９を介して連結棒３で連結された構造となる。この結果、横揺れや縦揺れの地震が発生しても、棹石５の移動や倒壊を確実に防止することができる。
【００１９】
なお上記説明では、連結棒３を断面円形の場合について説明したが、断面四角形など多角形状のものでも良い。また石材店で墓石を展示する場合には、図２において上台１の縦溝２に接着剤９を少し入れて連結棒３の下部側を固定しておき、この連結棒３の上部を竿石５の縦溝６に挿入し、接着剤９で固定しない状態で展示すれば、横揺れの地震が発生しても竿石５の倒壊を防止することができる。また本発明の耐震墓構造は上台１と竿石５との連結に限らず、上台１とこの下の中台１との連結に適用することもできる。                                
【図面の簡単な説明】
【００２０】
【図１】本発明の実施の一形態による上台の縦溝に連結棒を挿入した状態を示す断面図である。
【図２】図１の状態から上台の縦溝に接着剤を充填して連結棒の下部側を挿着した状態を示す断面図である。
【図３】図２の状態から連結棒に円筒体を被せて、ここに接着剤を充填した状態を示す断面図である。
【図４】図３の状態から連結棒に取付けた円筒体を棹石の縦溝に挿入して、棹石を下降させている状態を示す断面図である。
【図５】図４の状態から棹石を上台の上に重ねて連結棒で連結した状態を示す断面図である。
【符号の説明】
【００２１】
１    上台                                                  
２    縦溝                                                  
３    連結棒                                                
４    くびれ部                                              
５    棹石                                                  
６    縦溝                                                  
７    ねじ孔                                                
８    アジャスター                                          
９    接着剤                                                
１１  円筒体                                                
１２  流出口                                                
１３  上部開口部                                            
１４  ゴムシート                                            
【図１】
2008045291.tif 000003
【図２】
2008045291.tif 000004
【図３】
2008045291.tif 000005
【図４】
2008045291.tif 000006
【図５】
2008045291.tif 000007